Podtech/llm-jp-corpus-v4-ja_patent huggingface dataset:
(57)【要約】【目的】ウエハ上に電解メッキによりバンプおよび微細パターンを形成するメッキ装置においてメッキ液の流れを制御する装置を提供し均一なメッキの膜厚分布を可能にする。ウエハ面に付着している泡をメッキ液中に窒素ガスを噴出させることにより生じる泡で除去することを可能にする。【構成】メッキ槽の底面に配置したメッキ液流入口より流入するメッキ液はウエハ装着カセットに装着されたウエハの表面に沿って流れカセットの上部にあけられたスリットより流れ出る。流れ出たメッキ液はポンプに吸い込まれポンプにより加圧されフィルタを通り再びメッキ液流出口より送り込まれ上記の循環を繰り返す。この循環によりウエハ表面上のメッキ液をたえずリフレッシュすることにより良質なメッキを施すことが出来る。またメッキ槽の底面に配置された窒素ガス噴出口より窒素ガスを放出する事により生ずる大きな泡によりウエハ表面に付着した小さな泡を捕捉し除去する。 【選択図】図1
0003103542.tif 000002
【実用新案登録請求の範囲】
【請求項１】
ウエハを縦に配置した浸漬式メッキ装置においてメッキ槽（１）の低部に配置したライン状に配置した小穴からなるメッキ液流入口（２）と槽を２分する着脱可能な仕切り板を設けこの仕切り板面上の前記メッキ液の流入口（２）側にウエハ（３）の設置を行うことが出来るウエハ装着カッセット（４）を設けこのカセットの上部に前記流入口（２）と平行にあけられたスリット（５）を設けこのスリットからメッキ液がオーバーフローする。
オーバーフローされたメッキ液は前記メッキ槽（１）の前記ウエハ装着カセット（４）のウエハが装着される反対側に流れ込む。流れ込んだメッキ液は前記メッキ槽（１）の底面に設けられたメッキ液回収口（６）よりポンプ（７）により吸い込まれる。吸い込まれたメッキ液はポンプ（７）により加圧されフィルタ（８）を介して再び前記流入口（２）へと送られる。以上のメッキ液の循環によりメッキ液の流速がウエハ面に一様に施される縦型ウエハメッキ装置。
【請求項２】
請求項１の縦型メッキ装置のメッキ槽において槽を２分するウエハ装着カセット（４）のメッキ液流入口（２）側の低部にメッキ液流入口（２）と平行に配置しライン状に配置した小穴からなる窒素ガス噴出し口（９）を設け適宜この噴出し口（９）より窒素ガスを噴出することにより泡を発生させこの泡によりウエハに付着した小さな泡を捕捉し除去させる縦型ウエハメッキ装置。
【考案の詳細な説明】
【技術分野】
【０００１】
本考案はウエハに電解メッキを施す装置でメッキ液を攪拌させる装置に関る。
【背景技術】
【０００２】
電解メッキを行うためにはメッキされる面にたえず十分攪拌されたメッキ液を供給することが良質なメッキを行うためには必要である。ウエハの様な面状のものにメッキを行う場合ウエハ面に均一なメッキ液の流れにさらす必要があるが従来の攪拌方式は十分にその目的を達していない。
また微少な泡がウエハ面に付着した場合この除去には多大な装置が必要となる。
【考案の開示】
【考案が解決しようとする課題】
【０００３】
本考案は簡単な装置で安価にウエハ面に均一なメッキ液の流れを与えるものである。
またウエハ面に付着した微少な泡の除去はメッキ液の攪拌等の従来の方法では除去が困難である。
【課題を解決するための手段】
【０００４】
本考案はメッキ槽（1）の低部に配置したメッキ液の流入口（２）とメッキ液の流出口となるスリット（５）を設けたウエハを装着するウエハ装着カセット（４）、スリット（５）より流れ出た液を回収するために置けたメッキ液回収口（６）、回収されたメッキ液を循環のため再びメッキ液をフィルタ（８）を介して流入口（２）へ送り出すポンプ（７）、また微少な泡を除去するためのメッキ槽の低部に配置された窒素ガスの噴出口（９）より構成される。
【考案の効果】
【０００５】
本考案のメッキ槽におけるメッキ液循環手段によりメッキの膜厚分布が良好になりまた泡によるボイド及びメッキの欠陥の少ないメッキが可能となる。
【考案を実施するための最良の形態】
【０００６】
本考案のメッキ液の流れがウエハ面で一様にせしめるためにメッキ槽（１）の低部に配置したライン状に配置した小穴からなるメッキ液流入口（２）よりメッキ槽（１）に流入したメッキ液はウエハ装着カセット（４）に設けられたスリット（５）から流出する。このスリット（５）は前記流入口（２）対向する形で設置し流入口（２）よりメッキ槽（１）に流れ込んだメッキ液は帯状の流れとなりウエハ面に均一なメッキ液の流れを供する。
スリット（５）から流れ出たメッキ液はメッキ槽（１）に設けられたメッキ液回収口よりポンプ（７）により吸引されポンプ（７）で加圧されメッキ液流出口（２）へ送られメッキ液は循環が繰り返される。
またメッキ槽（１）の低部に設置された窒素ガス噴出口（９）より噴出された窒素ガスは大きな泡となり浮上しやすくなりウエハ面に接触しながら浮上しこの時ウエハ面に付着している泡を捕捉し除去する。この時の窒素ガスはメッキ槽（１）の空間部に充満しメッキ液の劣化、メッキされるものの保護のために行う窒素パージ機能をも合わせ持つ。
【実施例】
【０００７】
図1の本考案のメッキ槽（１）の中に、メッキ液流入口（２）、ウエハ装着カセット（4）、スリット（５）、メッキ液回収口（６）、ポンプ（７）及びフィルタ（８）を図１に示されるような配置のメッキ液の循環径路を設けることによりウエハ装着カセット（４）に装着されたウエハ（３）の面に一様なメッキ液の流れが供せられ良好なメッキの膜厚分布が得られる。また窒素ガス噴出口（９）よりメッキ開始前、及びメッキ開始後に間歇的に窒素ガスを噴出させることにより生じる泡がウエハ（３）に付着している小さな泡を捕捉してこれを除去する。またこの窒素ガスは窒素ガスパージの働きをも持つ。
【産業上の利用可能性】
【０００８】
半導体パッケージの高集積化。小型化にともないウエハ上に形成された集積回路の接続ポイントとなるバンプの形成装置への需要がますます高まっている。そこで電解メッキ法でバンプを形成する上で形成されたバンプの品位例えば高さの均一性、欠陥を少なくする等に効果のある本考案は産業上多大の利用価値がある。
【図面の簡単な説明】
【０００９】
【図１】本考案のメッキ槽の説明図である。
【符号の説明】
【００１０】
（１）・・メッキ槽    （２）・・メッキ液流入口    （３）・・ウエハ  
（４）・・ウエハ装着カセット    （５）・・スリット    （６）・・メッキ液回収口
（７）・・ポンプ    （８）・・フィルタ    （９）・・窒素ガス噴出口    （１０）・・アノード
【図１】
0003103542.tif 000003
(57)【要約】【課題】  本考案はワウペダル本体に可変ボリューム抵抗器を取付け、ワウ効果とあいまって、相乗効果を発揮し、よりよい音楽の表現を可能にする。【解決手段】  本来はワウペダル本体に使用している従来のワウ抵抗器の同軸に、カップリングで可変ボリューム抵抗器を取付け、回路図４の如くミックスして１つの操作で２つの効果を得るものである。【選択図】  図３
0003103550.tif 000002
【実用新案登録請求の範囲】
【請求項１】
ワウペダルにフットボリュームを設け、エフェクト効果をより肉声的に表現するためのもの
【考案の詳細な説明】
【技術分野】
【０００１】  本考案はワウペダルにフットボリュームの機能を設けたエフェクターに関するもの
【背景技術】
【０００２】  通常ワウペダルとフットボリュームを使用する場合、足で操作するが、この２つを使用する場合、両足で操作しなければならず、この２つのエフェクターを同時に使用操作することはかなり難しい。
【考案の開示】
【考案が解決しようとする課題】
【０００３】  フットボリューム付きワウペダルは、片足のみの操作で両方のエフェクト効果を可能にするため、前述の欠点を解決しょうとするものである。【０００４】  本考案はエレクトリックギターに使用するワウペダル本体にフットボリューム機能を設け、ペダルを踏み込むことにより、音の周波数と音量を片足で操作困難だったことを解決している。
【考案の効果】
【０００５】  上述のように、本考案のフットボリューム付きワウペダルは、ワウ効果の前に音量効果を設けるため、従来困難であった２つの操作を同時に片足で操作可能にしているため、本来、音楽のもつ肉声的な表現を可能とする。【０００６】  従来のワウペダルのワウ効果を調整する抵抗器軸に、新たに可変ボリューム抵抗器を連動するように取付ける。  添付の回路図に従って配線をする。  以上により、音量と周波数の変化を片足操作で出来、よりよい音楽的効果が期待出来る。
【実施例】
【０００７】  以下添付図面に従って一実施例を説明する。１は耐久性のある適宜素材に一体化形成されたフット可変ボリューム付きワウペダル本体。２は裏ふた。３は本体の裏面より見た構造図である。１のペダルを踏みこむ事により、２の平形カムギアが上下し、３の小ギアが回転し、４の可変ボリューム抵抗を変化させる。また５の可変ワウも同軸のため連動して作動する。【０００８】
【図】
４はワウ効果と音量変化を電気的にミックスした回路図である。
【０００９】  本考案の一実施例は、上述に基づく構成からなるものである。
【図面の簡単な説明】
【００１０】
【図１】本考案のフット可変ボリューム付きワウペダル本体
【図２】裏ふた
【図３】本体裏面より見た可変抵抗器取付部
【図４】回路図
【符号の説明】
【００１１】１  フットペダル２  カムギア３  小ギア４  可変ボリューム抵抗器５  可変ワウ抵抗器６  回転軸カップリング７  カムギア押え８  フットスイッチ９  入力端子１０  出力端子１１  ＋９Ｖ端子１２  回路基板１３  電池接続端子１４  ゴム足１５  ペダルシーソー軸
【図１】
0003103550.tif 000003
【図３】
0003103550.tif 000004
【図４】
0003103550.tif 000005
【手続補正書】
【提出日】平成16年4月16日(2004.4.16)
【手続補正２】
【補正対象書類名】図面
【補正対象項目名】全図
【補正方法】変更
【補正の内容】
【図１】
0003103550.tif 000006
【図２】
0003103550.tif 000007
【図３】
0003103550.tif 000008
【図４】
0003103550.tif 000009
(57)【要約】      （修正有）【課題】お手洗い使用時に裾が床につく為、汚れ防止をするための物品を提供する。【解決手段】伸縮性のあるベルト１の両端に止め具２及び３を取り付け、裾の汚れを防ぐ為に使用される物品である。【選択図】図１
0003103531.tif 000002
【実用新案登録請求の範囲】
【請求項１】
伸縮性のある紐状の先端に、取り外し出来る部品を取り付け裾の汚れを防ぐ為に使用するものです。
【考案の詳細な説明】
【技術分野】
【０００１】  本考案は男女共にズボンの裾汚れを防ぐ為、ワンタッチで取り外し出来るものである。
【背景技術】
【０００２】  今までは雨天時やトイレ使用時に、裾を折り曲げていた。
【考案の開示】
【考案が解決しようとする課題】
【０００３】  トイレでは床が汚れていたり、雨天時には跳ね上がるのでズボンの裾が汚れないようにするものである。
【課題を解決するための手段】
【０００４】  布の中にゴムを入れ、先端部にワンタッチ仕様の部品を取り付ける事で簡単に裾上げが出来る。
【考案の効果】
【０００５】  裾の汚れはシミになったり、気分も悪くする。特に雨天時には裾が濡れて見た目にもよくない。
【考案の実施するための最良の形態】
【０００６】  ふくらはぎの所でズボンの上からワンタッチで止め、ズボンの裾を上から引き上げて裾の位置を床上から離れさせる事によって、床につかない為汚れにくくなる。
【実施例】
【０００７】  以下、添付図面に従って一実施例を説明する。ベルト１が伸縮するようにゆとりを持たせて平ゴムを布で包んで縫い、取り外しの簡単なプラスチック製の止め具２と３の両端に縫いつける。
【図面の簡単な説明】
【０００８】
【図１】本考案のアガールの一実施例を示す正面図である。
【符号の説明】
【０００９】１ベルト
２止め具
３止め具
【図１】
0003103531.tif 000003
【手続補正書】
【提出日】平成16年1月3日(2004.1.3)
【手続補正１】
【補正対象書類名】実用新案登録請求の範囲
【補正対象項目名】全文
【補正方法】変更
【補正の内容】
【実用新案登録請求の範囲】
【請求項１】
伸縮性のあるベルト１の両端に止め具２及び３を取り付け、裾の汚れを防ぐ為に使用される物品。
(57)【要約】      （修正有）【課題】普段は投影機でないパソコン台や勉強机等として活用出来るデスクの提供。【解決手段】基本的な形態はやや小ぶりの普通の机である。しかし、一番上の板を横に開ければ倍の広さのテーブルとなる。開かれた、元のテーブルの中央に強化ガラス（用紙Ａ３サイズ）がはめ込んである。このガラスの下に手前に引ける板があり、これを引き出してスライドテーブルとなる。その下に普通の机引き出しがある。この、スライドテーブルと机引き出しの奥に投影機としての光源になる蛍光灯が設置されて、強化ガラスを通して投影出来る。これで投影用光源付き４機能コンパクトデスクとなる。【選択図】図１
0003103537.tif 000002
【実用新案登録請求の範囲】
【請求項１】
普段は、やや小ぶりの普通の机の形態である、第１の機能としてのコンパクトデスク。
【請求項２】
その、一番上の板を横に開ければ倍の広さのテーブルとなって第２の機能としてのコンパクトデスク。
【請求項３】
開かれた、元のテーブルの中央に強化ガラス（用紙Ａ３サイズ）がはめ込まれ、ガラスの下には手前に引き出せる板が設置されてスライドテーブルとなり第３の機能としてのコンパクトデスク。
【請求項４】
このガラスの下の奥には光源になる蛍光灯が設置されて、投影用光源となりこれで４機能コンパクトデスクとなる。
【考案の詳細な説明】
【技術分野】
【０００１】  本考案は家庭用及び業務用に関わる文具家具である。
【背景技術】
【０００２】  近年、複写機の普及は目覚ましく精巧なものが相次いで開発されている。スーパーやコンビニに於いて手軽に複写できるのは便利である。しかし、図の一部分だけを複写することは出来ない。【０００３】  庶民の家庭においてはデザイナー等の用いる業務用光源付き投影デスクを購入するほどの余裕は無く、又、その使用頻度も少ないが、一生に於いては何度かその必要性を感じることはある。【０００４】  使用頻度は少ないがその必要性を感じる場合も有るのであれば、パソコン台や勉強机等の機能を兼ね備えた光源デスクにすれば多目的的に使用が可能となり効果的である。
【考案の開示】
【考案が解決しようとする課題】
【０００５】  図の一部分だけを写したいことがあるが、巷に普及している複写機ではそれは出来ない。昼間、窓ガラスに張り付けて写すことは出来るが、夜間や悪天候の時にはそれは出来ない。使用頻度は少ないが光源付き投影機は欲しいと思うことがあるが庶民に於いてはその物独自で購入する程の余裕はない。それが問題である。
【課題を解決しようとするための手段】
【０００６】  庶民に於いては使用頻度が少ないが光源付き投影機は欲しい。しかし、それのみを購入する程の余裕は無い。ならば、普段は投影機でないパソコン台や勉強机等として活用出来るデスクなら多目的的で、投影機の付いたデスクは価値がある。
【考案の効果】
【０００７】  普段はパソコン台や勉強机として活用しながら時には光源付き投影機として趣味や副業に役立ち、置き場所を取らずに広いテーブルをも設けることが出来る。
【考案を実施するための最良の形態】
【０００８】  基本的な形態はやや小ぶりの普通の机である。しかし、一番上の板を横に開ければ倍の広さのテーブルとなる。開かれた元のテーブルの中央に強化ガラスがはめ込んである。このガラスの下に手前に引ける板があり、これを引き出して又一つテーブルが手前に広がる。その下に普通の机引き出しがある。これはただの引き出しである。この、手前引き板と机引き出しの奥に投影機としての光源になる蛍光灯が設置される。机の材質は家庭用を目的として木製である。
【実施例１】
【０００９】  やや小ぶり、４本脚の木製の机に、広幅の引き出しが１つ忖いている。引き出しの上にあたかも蓋になる型で引き板（スライドテーブル）が付いている。この引き板を手前に引き出して小ぶりな机を少し広く使える。デスクトップパソコン用の机に最適である。机引き出しと手前引き板の奥には抜け止め用金具が付いている。
【実施例２】
【００１０】  この木製机の上板の左端に蝶番でもう１枚の上板を取り付ける。これを開ければ横に倍の広さのテーブルとなる。この板は蝶番とその下方に設置された２枚の観音開き台でも支えられる。この開いた上板は蝶番から手前に滑らせて、外すことも出来る。（図３）
【実施例３】
【００１１】  蝶番で開かれた、元の上板の中央部分に縦０．３１ｍ、横０．４２ｍ、厚さ０．００３ｍの強化ガラス（用紙Ａ３サイズ）をはめ込み複写台とする。このガラスは上へ取り外せる。机引き出し奥に蛍光灯を取り付け光源とする。複写台として使用する時、机の引き出し及びその上の手前引き板は取り外す。蛍光灯には反射用アルミも取り付ける。
【実施例４】
【００１２】  普段は折り畳み部分や引き出し部分を全部収め、コンパクトな普通の机として使用する。以上を以て４機能デスクとする。
【産業上の利用可能性】
【００１３】  今やパソコンは家電並の普及が期待される。投影機があれば子供や趣味人がイラストがかける。一般家庭に於いていくつもの机は置けない。このような時、本考案のデスクはコンパクトでありながら４つ以上の機能を発揮して便利である。業務用としてもひとつあると邪魔にならず便利である。
【図面の簡単な説明】
【００１４】
【図１】４機能デスクを全部開いた図である。
【図２】４機能デスクを全部閉じた図である。
【図３】開いた上板を蝶番から手前に滑らせて外した図である。蝶番は磁力を付けたものである。
【図４】引き出し及び手前引き板（スライドテーブル）の、抜け止め用金具が奥で引っ掛かる構造と、光源となる蛍光灯である。抜け止め用金具を緩めると引き出し及び手前引き板（スライドテーブル）は外せる。
【符号の説明】
【００１５】  １  強化ガラス
２  手前引き板（スライドテーブル）
３  引き出し
４  開いた上板
５  開いた上板を支える２枚の観音開き台（手前と奥）
６  蝶番
７  蛍光灯
８  引き出し及び手前引き板（スライドテーブル）の乗る台。抜け止め用金具が奥で引っ掛かる
９  反射用アルミ
【図１】
0003103537.tif 000003
【図２】
0003103537.tif 000004
【図３】
0003103537.tif 000005
【図４】
0003103537.tif 000006
(57)【要約】課題  従来、電話器には、リダイヤル装置があって、ダイヤル操作を記憶、再生させる機能が付加されたものが有るが、パソコンにはソフト毎のテンプレート機能が有っても、インターネット使用時等にキーワード等の打鍵操作を記憶、再生させる機能が見当たらない。解決の手段    パソコンとキーボードの間に、幾つかのチャンネル数の書き換え可能な不揮発性メモリー設けて、必要なキーボード信号を記憶、再生してパソコンへ送出する機能を付加する。【選択図】  図１
0003103535.tif 000002
【実用新案登録請求の範囲】
【請求項１】
パソコンのキーボード打鍵出力信号を不揮発性メモリーに記憶させ必要に応じて、その信号をキーボード信号としてパソコンに再送出する構造
【考案の詳細な説明】
【考案の詳細な説明】
【０００１】考案が解決しようとする課題
従来、電話器には、リダイヤル装置があって、ダイヤル操作を記憶、再生させる機能が付加されたものが有るが、パソコンには、ソフト毎のテンプレート機能が有っても、インターネット使用時等にキーワード等の打鍵操作を記憶、再生させる機能が見当たらない。
【０００２】課題を解決するための手段
パソコンとキーボードの間に、幾つかのチャンネル数の書き換え可能な不揮発性メモリー設けて、必要なキーボード信号を記憶、再生してパソコンへ送出する機能を付加する。
【０００３】考案の効果
１  インターネット使用時に都度、同じ検索パスワードの打鍵を省略できる。
２  パソコンの各ソフト共通に多チャンネルのテンプレートとして利用できる。
【図面の簡単な説明】
【０００４】
【図１】キーボード打鍵メモリー（本器）の接続を示すものです。
【図２】キーボード打鍵メモリー（本器）の構造を示すものです。
【図１】
0003103535.tif 000003
【図２】
0003103535.tif 000004
【手続補正書】
【提出日】平成16年1月31日(2004.1.31)
【手続補正１】
【補正対象書類名】実用新案登録請求の範囲
【補正対象項目名】全文
【補正方法】変更
【補正の内容】
【実用新案登録請求の範囲】
【請求項１】
パソコンのキーボード出力信号のシリアルデータ及びクロックパルスを、書き込み、読み出しが可能な不揮発性メモリー等のメディアによる、多チャンネルデータレコーダー回路を用い、読み出されたチャンネルのキーボード出力信号をパソコンへ再送出する構造
【手続補正書】
【提出日】平成16年4月1日(2004.4.1)
【手続補正１】
【補正対象書類名】実用新案登録請求の範囲
【補正対象項目名】全文
【補正方法】変更
【補正の内容】
【実用新案登録請求の範囲】
【請求項１】
パソコンのキーボード打鍵出力信号を記録する不揮発性メモリーと、
前記不揮発性メモリーに記録されたキーボード打鍵出力信号をキーボード信号として再生してパソコンへ送出する手段と、を備えたことを特徴とするパソコンのキーボード打鍵メモリー。
(57)【要約】      （修正有）【課題】ドリンクの太い、細い、又、丸型、角型、に関わらずドリンクの出し入れがスムーズに出来るホルダーを提供する。【解決手段】ドリンクの太いもの、細いもの、又、丸型、角型でも応用できるようにスプリングのはたらきをする帯状部分を設ける。【選択図】なし【実用新案登録請求の範囲】
【請求項１】
図（１）ドリンクホルダーの胴廻り部分に図（２）帯状数枚が内側に湾曲にしスプリング状態にしたもの。
【考案の詳細な説明】
〔技術分野〕
【０００１】ドリンクホルダーにドリンクを容易に押さえるに関したもの
〔背景技術〕
【０００２】ドリンクホルダーの胴廻り図（２）の帯状数本が内側に湾曲にそって、これがスプリングの役目をなすため、ドリンクの太いもの、細いもの、又丸型、角型に関わらず押さえることが出来る
〔考案の開示〕
〔考案が解決しようとする課題〕
【０００３】ドリンクホルダーにも押さえがあるもの、ないもの、がありあるものは製作工程がかかり、又カンジュースの場合底板がかしまってる為ドリンクの押さえの突起物がひっかかり零すこともあるないものは、ドリンクがガタつき音がうるさい。
〔課題を解決するための手段〕
【０００４】本考案は図（２）の帯状がスプリンのはたらきをするのでドリンクの太いもの、細いもの又丸型、角型、でも応用できる。
〔考案の効果〕
【０００５】ドリンクの太さの大、小、に又丸型、角型に関わらずドリンクの出し入れがスムーズである
〔考案を実施するための最良の形態〕
【０００６】最小限の製作工程数、外観の美。
〔実施例〕
【０００７】ガタづかず、ドリンクの出し入れがスムーズであった。
〔産業上の利用可能性〕
【０００８】自転車のハンドルに図（３）の取付金具をつければ自転車用ドリンクホルダーとなり、片手運転が無くなり非常に安全につながる。又自動車用には図（３）の取付金具を省けばよい
【図面の簡単な説明】
【０００９】図面は斜視図である
【符号の説明】
【００１０】（１）ドリンクホルダー
（２）帯状
（３）取付金具
0003103532.tif 000002
(57)【要約】【課題】岸壁の小物釣りで、多数の釣り人が地置皿式で、アミエビを、なぞってハリに引っ掛ける方法の為、前後に動いたり竿先が左右の釣り人に触れたりしてトラブルになり家族連れが途中で引き上げる光景をみて、釣り座を動かず竿を立てたまま、繰り返し出来ないかを課題にした。【解決手段】筒の中にアミエビを入れ、仕掛を真中に通せば確実に引っ掛かり、エサの付いた仕掛が凸部から出てくる。【選択図】図４
0003103538.tif 000002
【実用新案登録請求の範囲】
【請求項１】
透明な筒の、両端にジョウゴ状の物を凸、凹に付け一方をネジ締めふた方式にして、仕掛け糸を入れる為凸、凹、筒、共に、幅、５ｍｍ  の切り込みを入れる。
【考案の詳細な説明】
【考案の詳細な説明】
【背景技術】
【０００１】地置き皿型でアミエビの上をなぞって引っ掛ける方式の為、前後、左右に竿先が動き、他人に迷惑がかかる。
【考案が解決しようとする課題】
【０００２】釣り座を、動かずに、簡単に、確実にエサを付ける事を課題にした。
【課題を解決する為の手段】
【０００３】手のひらサイズで、筒部にストライプを付けすべり止めとし、竿を立てたまま出来るようにした。
【考案の効果】
【０００４】筒の中心を仕掛けが通過するので、確実にアミエビを引っ掛け凸部から出てくる。
【図面の簡単な説明】
【図１】ネジ締めふた部と筒部に凸を付けた状態。
【図２】断面図
【図３】アミエビを入れふたを閉めた状態。
【図４】使用状況を示す。
【符号の説明】
１    ふた部と筒部のネジヤマを示す。
２    使用時の方向を示す矢印シール。
３    アミエビ
【図１】
0003103538.tif 000003
【図２】
0003103538.tif 000004
【図３】
0003103538.tif 000005
【図４】
0003103538.tif 000006
【手続補正書】
【提出日】平成16年4月3日(2004.4.3)
【手続補正１】
【補正対象書類名】実用新案登録請求の範囲
【補正対象項目名】全文
【補正方法】変更
【補正の内容】
【実用新案登録請求の範囲】
【請求項１】
透明な、円筒の両端をジョウゴ状の凸、凹にした事によりサビキの枝針が、凹部から引っ掛かることなく筒内部に導入され、筒内部のアミエビを引っ掛けて、エサの付いたサビキ仕掛けが凸部から出てくるようにした事を特徴とする、アミエビえさ付け器。
(57)【要約】【課題】本考案は、一般家庭やオフィスのパソコンやワープロ・プリンター等の電気機器のコードを安全に且つ効率的に収納するための電気コード収納具に関する。【解決手段】弾性力を有する軟質材料を素材として適当な長さからなり、電気コード（７）が人力で簡単に出し入れ出来るように開閉を可能にした開閉部分（２）を有し、一体成型された蛇腹状のチューブ（１）と、硬質材料を素材として使用開始時に各種コードをまとめるためのチューブ差し込み部（３）・コード入れ部（４）・つかみ部（５）からなるクリップ（６）よりなる電気コード収納具。【選択図】  図１
0003103534.tif 000002
【実用新案登録請求の範囲】
【請求項１】
弾性力を有する軟質材料を素材として適当な長さからなり、電気コード（７）が人力で簡単に出し入れ出来るように開閉を可能にした開閉部分（２）を有し、一体成型された蛇腹状のチューブ（１）と、硬質材料を素材として使用開始時に各種コードをまとめるためのチューブ差し込み部（３）・コード入れ部（４）・つかみ部（５）からなるクリップ（６）よりなる電気コード安全保護集束器。
【考案の詳細な説明】
【技術分野】
【０００１】本考案は、一般家庭やオフィスのパソコンやワープロ・プリンター等の電気機器のコードを安全に且つ効率的に収納するための電気コード集束に関する。
【背景技術】
【０００２】従来、一般家庭やオフィスでは、パソコンやワープロ・プリンター等の電気機器のコードは、電源から各機器まで無雑作に床面を這わせているだけであった。従ってこの何本ものコード類は見た目にも悪いうえに埃もたまりやすく美観上大変問題があった。そして何よりも問題なのは何本ものコードがあるため人が通る時に足に引っ掛けてつまずいて転ぶことで人が怪我をする恐れがあり、そして電気機器類も転倒させて破損させる心配もあった。【０００３】このような問題点を解決する方法として、各種電気コードをまとめて束ねる結束バンドやワイヤーグリップなどがあった。しかしこれらはただ単にまとめるだけで美的上良いものとはとても言えるようなものではなかった。又不要な長いコード類の整理用としてはコード収納具（特許文献１参照）も考案されているが、コードの中央の一部分には対応出来るがコンセントに近い部分や機器の差し込み部分に近い部分などには使い難いなど問題点があった。【０００４】
【特許文献１】登録番号：登録実用新案第３０６７９８６号  登録日：２０００年２月２日  実用新案権者：酒井  和彦  考案者：酒井  和彦  考案の名称：コード収納具
【考案の開示】
【考案が解決しようとする課題】
【０００５】本考案は上記のような問題を鑑み、パソコンやワープロ・プリンター等の電気機器のコード類を整理整頓して部屋の中や事務所内を見た目にも美しくして、掃除もしやすくして何よりも大事なのは安全に人の往来が出来るようにすることを目的とする。
【課題を解決するための手段】
【０００６】上記課題を解決するために本考案は、
（イ）例えばポリエチレンのような弾性力を有する軟質材料を素材として適当な長さからなり、電気コード（７）が人力で簡単に出し入れ出来るように開閉を可能にした開閉部分（２）を有し、一体成型された蛇腹状のチューブ（１）を設ける。
（ロ）例えばＡＢＳ樹脂のような硬質材料を素材として、使用開始時に各種電気コード（７）をまとめるための、チューブ差し込み部（３）・コード入れ部（４）・つかみ部（５）からなるクリップ（６）を設ける。
以上の構成よりなる電気コード安全保護集束器具である。
【考案の効果】
【０００７】本考案を利用することによって、増加する一方のＯＡ機器や電器製品・ＡＶ機器などの種々雑多で長さもいろいろある電気コード（７）を整理して機能的に収納させることが出来るようになる。そして見た目もすっきりして美観も良くなるうえに間違って踏んだりしてもチューブ（１）がガードの役目をして電気コード（７）自体の破損防止にも役立つことになる。その上ゴミやほこりが付いても掃除がしやすくなり、一箇所にまとめることにより人がつまずいて転ぶようなことも防ぐことが出来また、乱雑なコードに足を取られ電気機器を転倒するようなことも防止出来る。
【考案を実施するための最良の形態】
【０００８】以下本考案を実施するための形態について説明する。
（イ）例えばポリエチレンのような弾性力を有する軟質材料を素材として適当な長さからなり、電気コード（７）が人力で簡単に出し入れ出来るように開閉を可能にした開閉部分（２）を有し、一体成型された蛇腹状のチューブ（１）を設ける。使用の場合はこれを筒状にして使用する。
チューブ（１）の素材は、上記では例として弾性力のあるポリエチレンで説明したがゴム素材でも当然のことながら同様の効果はある。
またチューブの太さは電気コード（７）の太さや本数に応じて使い分けるようにする。
（ロ）例えばＡＢＳ樹脂のような硬質材料を素材として、使用開始時に各種電気コード（７）をまとめるための、チューブ差し込み部（３）・コード入れ部（４）・つかみ部（５）からなるクリップ（６）を設ける。
以上の構成よりなる電気コード安全保護集束器具具である。【０００９】本考案を使用する場合は、
（ハ）複数の電気コード（７）をクリップ（６）のコード入れ部（４）に挟み込む。
（ニ）クリップ（６）のチューブ差し込み部（３）にチューブ（１）を被せる。
（ホ）チューブ（１）をぐっと奥まで押し込む。
（ヘ）複数の電気コード（７）を片手で持ちながらクリップ（６）を手前に引っ張ってスライドさせて複数の電気コード（７）をコード入れ部（４）に入れて取り付ける。
（ト）チューブ（１）の最後尾でクリップ（６）を抜き取れば取り付け作業終了となる。
【実施例】
【００１０】図に基づいて説明する。
図１は例として実際に３本の電気コード（７）を本考案を使用してひとまとめにした正面図である。使用するチューブ（１）の太さは電気コード（７）の太さや本数に応じてかえるようにする。
図２は本考案使用例のＡ−Ａ‘の断面図である。
図３は本考案のクリップ（６）の斜視図である。
【図面の簡単な説明】
【００１１】
【図１】  本考案を実際に利用した場合の正面図
【図２】  本考案使用例の断面図
【図３】  本考案のクリップの斜視図
【符号の説明】
【００１２】（１）    チューブ
（２）    開閉部分
（３）    チューブ差し込み部
（４）    コード入れ部
（５）    つかみ部
（６）    クリップ
（７）    電気コード
【図１】
0003103534.tif 000003
【図２】
0003103534.tif 000004
【図３】
0003103534.tif 000005
(57)【要約】      （修正有）【課題】壁面と壁面、更に天井部分が接する入隅部分や入門部分のコーキング注入を容易に、美しく仕上げることが出来る入隅コーキングノズルを提供する。【解決手段】コーキングノズル３を充填部へ接触後、圧力により押出されたコーキング剤を最先端部へ導くために液の出口に半円形の溝１を施すことで入隅、入門部分の注入を容易に美しく行うことが出来る。【選択図】図１
0003103576.tif 000002
【実用新案登録請求の範囲】
【請求項１】
コーキング剤を圧力により吐出ノズルから充填部分へ注入される作業において、ノズル先
端部の形状に半円形の溝を施すことにより、入隅や入門への注入が容易に行うことが出来る  
ノズル。
【考案の詳細な説明】
【技術分野】
【０００１】
本考案は、入隅へのコーキング処理が容易に行えるノズルである。
【技術背景】
【０００２】
コーキング処理は、直線的、平均に充填、注入することが求められるが、ノズルの切断方法や個人差によりバラツキがある。特に入隅においては先端部分まで液が注入出来にくい状態であった。
【０００３】
この改善策として、ノズル先端部の形状変更を行った。先端部を斜めにカットし更に最先端部と液の出口までの間に半円形の溝（図１．１）を施した。
【考案の開示】
【考案が解決しようとする課題】
【０００４】
解決しようとする問題点はコーキングの注入処理において入隅、入門部分に注入しにくい点である。
【課題を解決するための手段】
【０００５】
本考案はノズル先端部が処理面に接触した状態で圧力をかければ容易に入隅に注入できる特徴がある。
【考案の効果】
【０００６】
本考案はノズル先端部を交換し、普通に作業することで容易に美しい処理が行え、先端部を少し切断することにより最新することも出来るため作業の時間短縮効果がある。
【考案を実施するための最良の形態】
【０００７】
コーキングノズル内部の形状変更と外部の小さい穴のみで外観的に殆ど変わりなく使用感
も今まで通りを実現した。
【実施例１】
【０００８】
図１は、本考案ノズルの正面図、側面図であって１〜４は図２、図３と同様である。また５は天井、６は壁面、７はコーキング剤、（１）はノズルの進行方向（２）はコーキング剤の注入方向である。
【産業上の利用可能性】
【０００９】
おもにテーピングを使用しない内装シーリング工法に有効であるが先端部へのコーキング剤の液体方向は各種シーリングにも応用可能である。
【図面の簡単な説明】
【００１０】
【図１】入隅コーキングノズルの正面、側面図である。
【図２】入隅コーキングノズルの実施方法を示した図である。
【図３】入隅コーキングノズルの外観を示した図である。
【符号の説明】
【００１１】
１  半円形溝
２  ノズル穴出口
３  ノズル
４  円形穴
５  天井面
６  壁面
７  コーキング剤
８  ノズル進行方向
９  コーキング剤注入方向
【図１】
0003103576.tif 000003
【図２】
0003103576.tif 000004
【図３】
0003103576.tif 000005
【手続補正書】
【提出日】平成16年2月24日(2004.2.24)
【手続補正１】
【補正対象書類名】明細書
【補正対象項目名】００１１
【補正方法】変更
【補正の内容】
【００１１】
１  半円形溝
２  ノズル穴出口
３  ノズル
４  円形穴
５  天井面
６  壁面
７  コーキング剤
（１）  ノズル進行方向
（２）  コーキング剤注入方向
(57)【要約】【課題】外断熱工法においてアンカーボルトなどを使用しないで発泡断熱ボード１の両面に強固なモルタル層９、１０を形成することができる上、ボードの一部又は全部が破壊されても表面被覆材１０とタイルなどの外装材１２の落下を防止できる断熱材７を提供するものである。【解決手段】織布・不職布による任意形状の網目状繊維ネット体２，３を発泡樹脂製断熱ボード１の両面に配設し、この両面ネット体を断熱ボードを所定間隔で貫通する連結糸５によって縫合又は接着一体化され、施工後においては張付け材９と表面被覆材１０と共に一体化する。【選択図】  図４
0003103575.tif 000002
【実用新案登録請求の範囲】
【請求項１】
織布・不職布による任意形状の網目状繊維ネット体が発泡樹脂製断熱ボードの両面に配設されると共に前記両面のネット体が該ネットの網目間隔以上の間隔で前記断熱ボードを貫通する連結糸によって縫合又は接着一体化されてなる断熱材。
【請求項２】
両面ネットが連結部を除いて断熱ボード表面との間に空間を保持して配設されてなる請求項１記載の断熱材。
【請求項３】
ネット網目の大きさが２５ｍｍ２〜９００ｍｍ２、連結糸の間隔が３０〜１００ｍｍの範囲で形成されてなる請求項１または２記載の断熱材。
【考案の詳細な説明】
【技術分野】
【０００１】
この考案は、外断熱工法に使用する断熱材に関する。
【背景技術】
【０００２】
コンクリート躯体面に発泡スチレン板などの断熱ボードを接着して貼付け、ボードの表面側にネット材を埋設したモルタル層を設けて化粧材を貼着する工法が公知（例えば特許文献１参照）であるが、発泡断熱ボードは引張り力に弱く容易に破断するため、外装側に埋設されたネット材は下地材となるモルタル層を補強することはできてもボードの破断による外装材の剥落落下を防ぐことはできない。
【０００３】
このため、ネット材を含む張付け下地材の養生後にアンカーボルトを躯体に打ち込んで下地材と断熱ボードを固定している。更に、発泡断熱ボードは、強度が小さいため貼付け用モルタルを厚く形成することがでず耐衝撃性が十分でない他、重量のある仕上げ材で施工できない難点がある。
【０００４】
【特許文献１】特開２００３‐１３５８３号公報（図１）
【考案の開示】
【考案が解決しようとする課題】
【０００５】
本案は、アンカーボルトなどを使用しないで断熱ボードの両面に強固なモルタル層を形成することができる上、ボードの一部又は全部が破壊されても表面被覆材と外装材の落下を防止できる断熱材を提供するものである。
【課題を解決するための手段】
【０００６】
本案断熱材は、発泡断熱ボードの両面に職布又は不織布による繊維ネットを設けると共にネット体同士を３０〜１００ｍｍ間隔で貫通連結して三者を一体化させたものである。
発泡ボードは、発泡スチロール、発泡スチレンなど従来の発泡合成樹脂板であり、繊維ネットは耐アルカリガラス、ビニロン、ポリエステル、ナイロン、炭素繊維などの織布又は粗目の不織布（平紐の網目体を含む）を使用できる。
ネット体の網目の大きさは２５ｍｍ２〜９００ｍｍ２が好適であり、網目形状は３角〜６角など任意である。なお、ネット体は、連結部を除いて断熱ボード面との間に空間ができるように緩やかに配設され連結されるのが好ましい。
断熱ボードを貫通して両ネット体を連結する連結糸は、ネット材と同種又は異種繊維の糸又は紐体であり、貫通連結方法は一本の糸で連続縫合してもよいし、短糸を適宜間隔で貫通させて両端部を夫々接着結合させてもよい。また、織布の場合は、両面の織り糸交差部に絡めて往復させて環状に貫通連結したり、これをたすき掛けのように交互に斜めに連結することもできる。連結糸の間隔は３０〜１００ｍｍ程度でよい。
ネット体を構成する繊維は張付け材や表面被覆材と接合しなければならないが、連結糸はこれらに対する接着性を考慮する必要はない。
【考案の効果】
【０００７】
本案断熱材は、現場でのネット取付作業が不要になることは勿論、施工後は両ネット体が各モルタル層内に埋設されてモルタル層が補強されると共に両面ネットを介して張付けモルタル層＋発泡ボード＋被覆モルタル層の三者が一体化されるので仮令ボードが破壊されても外装材が落下することがなく安全である。また、ヒートブリッジとなるアンカーボルトを使用しないから断熱材の強度低下がなくなり有利である。この他、従来法のモルタル厚さ５ｍｍ程度に較べ２倍程度の厚さに塗布することが可能となり、耐衝撃性、耐火性が向上するばかりでなく、厚地モルタル層によって比較的重量のある仕上げ材も使用できるようになる。
【考案を実施するための最良の形態】
【０００８】
図において、１は発泡合成樹脂製の平板状断熱ボード、２，３はボードの表面に載せられたネット体である。４は連続した連結糸であって表裏のネット体を３〜１０ｃｍ間隔でボードに縫着して一体化している。、図３は他の例であって、短糸５をボードに貫通させ両端部６を夫々ネット体に接着させたものである。この場合において、短糸の両端にビース又はワッシャー用の小片を挿通させてボードとネット間の空間Ｇを形成してもよい。７は、本案断熱材である。
図４において、８は躯体、９はポリマーセメントモルタルなどの張付け材であって予め躯体８の表面及び又は断熱材の一面にモルタルを塗布して接着形成される。
１０は外面側から塗布した表面被覆材であって、張付け材モルタルと同一組成でなくてもよい。１１は仕上げ材、１２はタイルなどの外装材である。
【０００９】
（試験例）
厚さ３０ｍｍ、６００ｍｍ角の発泡スチレン板（ダウ化工製「スタイロフォーム１Ｂ」）を発泡断熱ボード１とし、この両面に面積同一の耐アルカリガラスネット（日本電気硝子製「ＴＤ１０Ｘ１０」）（網目の大きさ１０ｍｍ×１０ｍｍ）をネット体２（３）として載置してアラミド繊維（帝人製「トワロンフィラメントヤーンＮＭ」）を連結糸５として縦横とも３０ｍｍピッチで図３のように一体化させて断熱材７を作製した。
この断熱材の片面にポリマーセメントモルタル張付材（日本化成製「ＮＳ弾モル」）をネットが埋まるように５ｍｍ厚に塗布してコンクリート板の表面に押し付けて接着した。
接着１日後、断熱材の表面に表面被覆材（日本化成製「ＮＳポリマーミックス＃２０」）を塗布し５ｍｍ厚さで平滑に仕上げた。
【００１０】
比較例として連結糸がないもの（Ｂ）とネット体のないもの（Ｃ）を同一素材を用いて同様に作製した。
夫々の断熱材の被覆材に４０ｍｍ×４０ｍｍの方形で深さ２ｍｍの切込みを入れ、この方形部を鋼鉄製アタッチメントに取付けてインストロンによって引張り強さと伸び歪みを測定した結果は図５のようであった。
【図面の簡単な説明】
【００１１】
【図１】本案断熱材の斜視図
【図２】両面ネットを縫合連結した断熱材の部分断面図
【図３】両面ネットを短糸連結した断熱材の部分断面図
【図４】施工状態の模型的断面図
【図５】引張り試験結果を示すグラフ
【符号の説明】
【００１２】
１  発泡樹脂ボード
２、３  ネット体
４、５  連結糸
６  接合端部
７  断熱材
８  躯体
９  張付け材
１０  表面被覆材
【図１】
0003103575.tif 000003
【図２】
0003103575.tif 000004
【図３】
0003103575.tif 000005
【図４】
0003103575.tif 000006
【図５】
0003103575.tif 000007
(57)【要約】      （修正有）【課題】本考案は作業スペースが限られた狭い空間でもロック部挿入孔と結束帯被挿入部の位置を操作可能にする事により、この様な狭い空間での結束バンドの結束作業性を向上させる。【解決手段】ロック部挿入孔７付近及び結束帯被挿入部８付近に操作孔９を設け、該操作孔９に操作具１０を挿入し、ロック部挿入孔７と結束帯被挿入部８の位置を狭い空間でも操作可能にする事により、位置合わせが行ない易くなり、結束作業性が向上する。【選択図】図５
0003103573.tif 000002
【実用新案登録請求の範囲】
【請求項１】
内部にロック爪を持つロック部と、該ロック部と一体で、ロック爪と係合する事により結束対象物を結束する鋸歯が設置された結束帯よりなる可撓性を有する結束バンドにおいて、ロック部挿入孔付近及び結束帯被挿入部付近に操作具を挿入する事が出来る操作孔を設ける事により、ロック部挿入孔と結束帯被挿入部の位置を狭い空間でも操作可能にした事を特徴とする結束バンド。
【考案の詳細な説明】
【技術分野】
【０００１】  本考案は、機材や配線等を束ねる結束バンドに関するものである。
【背景技術】
【０００２】  配線等の結束対象物を結束バンドにより結束する場合、作業スペースが確保されず手先が入らないような狭い空間で結束作業を行なわざるを得ない事がある。この様な狭い空間では結束バンドのロック部挿入孔の位置と結束帯被挿入部の位置とが合わせづらく、結束帯をロック部へ挿入するのが困難である為、結束作業に非常に手間を要していた。
【考案の開示】
【考案が解決しようとする課題】
【０００３】  作業スペースが限られた手先が入らないような狭い空間でもロック部挿入孔と結束帯被挿入部の位置を操作可能にする事により、ロック部挿入孔と結束帯被挿入部の位置を合わせ易くし、この様な狭い空間での結束作業性を向上させた結束バンドを提供する事を課題とする。
【課題を解決するための手段】
【０００４】  ロック部挿入孔付近及び結束帯被挿入部付近に操作具を挿入する事が出来る操作孔を設け、該操作孔に操作具を挿入し、該操作具を用いロック部挿入孔と結束帯被挿入部の位置を狭い空間でも操作可能にする事により、位置合わせが行ない易くなり、結束作業性が向上する。
【考案の効果】
【０００５】  作業スペースが限られた狭い空間での結束作業性を向上させる事が出来、しかも形状的にも簡素である為、製作費も安価である。
【考案を実施するための最良の形態】
【０００６】  ロック部挿入孔付近及び結束帯被挿入部付近に操作具を挿入する事が出来る操作孔を設け、該操作孔にＴ字もしくはＬ字あるいはＪ字等の作業スペースに応じた形状の操作具を挿入し、該操作具を用いロック部挿入孔もしくは結束帯被挿入部あるいはその両方を操作する事により、ロック部挿入孔と結束帯被挿入部の位置合わせを行ない、結束対象物を結束する。
【実施例】
【０００７】  以下、添付図面に従って実施例を説明する。本考案の結束バンド１は図１から図３に示す様に大きくロック部２と結束帯３とで構成されており、材料は可撓性を有する合成樹脂等により形成されている。ロック部２の内部にはロック爪４が設置され、結束帯３には結束対象物に直接接する面６に結束帯３の長手方向に対して凹凸が直角になるよう形成された鋸歯５が設けられており、該ロック爪４と該鋸歯５が係合する事により結束対象物１１を結束する。ロック部挿入孔７と結束帯被挿入部８を操作する為の操作具１０を挿入する操作孔９はロック部２のロック部挿入孔７付近及び結束帯３の端部に位置する結束帯被挿入部８付近に設ける。尚、図４は本考案の第２の実施例を示しているのであるが、操作孔９の設置形状等については図１から図３に示す第１の実施例、図４に示す第２の実施例に限定されるものではない。【０００８】  結束対象物１１を結束する方法は、図５、図６に示す様に結束帯３を結束対象物１１の外周に沿わせるかたちで湾曲させ、Ｔ字もしくはＬ字あるいはＪ字等の形状の操作具１０をロック部挿入孔７付近及び結束帯被挿入部８付近に設けられた操作孔９のどちらかもしくは両方に挿入し、該操作具１０を用いロック部挿入孔７もしくは結束帯被挿入部８あるいはその両方を操作する事によりロック部挿入孔７と結束帯被挿入部８の位置合わせを行なう。この様な調節作業の後、矢印方向からロック部２に挿入された結束帯３は、該結束帯３に設置された鋸歯５とロック部２内部のロック爪４とが相互に作用し係合する事によりロック状態となり結束対象物１１を結束する。【０００９】  操作具１０を形成する素材については樹脂又は金属あるいはその他の素材、例えば紐のたぐいの様なものであっても操作孔９に挿入しロック部挿入孔７もしくは結束帯被挿入部８あるいはその両方を操作しやすいものであれば特に限定されるものではなく、結束バンド１の大小・剛性、作業スペースの状態等に応じて使いわければ良い。
【図面の簡単な説明】
【００１０】
【図１】本考案の第１の実施例を示す正面図である。
【図２】図１の背面図である。
【図３】図２におけるＡ−Ａ線に沿う断面図である。
【図４】本考案の第２の実施例を示す正面図である。
【図５】ロック部挿入孔側の操作孔を使って結束対象物を結束する作業状態を示す斜視図である。
【図６】結束帯被挿入部側の操作孔を使って結束対象物を結束する作業状態を示す斜視図である。
【符号の説明】
【００１１】  １    結束バンド
２    ロック部
３    結束帯
４    ロック爪
５    鋸歯
６    結束対象物に直接接する面
７    ロック部挿入孔
８    結束帯被挿入部
９    操作孔
１０  操作具
１１  結束対象物
【図１】
0003103573.tif 000003
【図２】
0003103573.tif 000004
【図３】
0003103573.tif 000005
【図４】
0003103573.tif 000006
【図５】
0003103573.tif 000007
【図６】
0003103573.tif 000008
(57)【要約】【課題】弾力性及び柔軟性に富み、リサイクル精神を視覚的に訴える緩衝材を提供する。【解決手段】使用済みダンボール紙を粉砕して、各片が手で摘める程度の大きさにしたダンボール片を透明性のあるポリ袋に充填してパックする。【選択図】図１
0003103579.tif 000002
【実用新案登録請求の範囲】
【請求項１】
使用済みダンボール紙を粉砕して、各片が手で摘める程度の大きさにしたダンボール片を透明性のあるポリ袋に充填してパックしたことを特徴とする緩衝材。
【考案の詳細な説明】
【技術分野】
【０００１】
本考案は、荷物を運搬する際に、荷物の破損・故障を防ぐために用いる緩衝材に関するものである。
【背景技術】
【０００２】
緩衝材としては、包装用緩衝エアーバック等がある（非特許文献１参照）。
【非特許文献１】「PACKAGINGDIGEST」１９９８年３月３１日３号、第５０頁
【考案の開示】
【考案が解決しようとする課題】
【０００３】
解決しようとする課題、すなわち本考案の目的は、弾力性及び柔軟性に富み、かつ、リサイクル精神を視覚的に訴える緩衝材を提供することである。
【課題を解決するための手段】
【０００４】
本考案は、使用済みダンボール紙を粉砕して、各片が手で摘める程度の大きさにしたダンボール片を透明性のあるポリ袋に充填してパックしたことを最も主要な特徴とする。
【考案の効果】
【０００５】
本考案の緩衝材は、外部分が透明であるので、中身がダンボール片であることが一目でわかるので安心感が有り、また、リサイクル精神を視覚的に訴えるという利点がある。また、弾力性及び柔軟性に富むという利点がある。
【実施例１】
【０００６】
図１は、本考案の実施例１の斜視図である。また、図２は同正面図、図３は同背面図、図４は同左側面図、図５は同右側面図、図６は同平面図、図７は同底面図である。
【０００７】
本考案の実施例１の緩衝材は、使用済みダンボール紙を粉砕して、各片が手で摘める程度の大きさにしたダンボール片を透明性のあるポリ袋に充填してパックして製造する。本考案の実施例１の緩衝材の外部分は透明である。本考案の実施例１の緩衝材の大きさは、図２の正面図において、縦約２５ｃｍである。
【０００８】
本考案の実施例１の緩衝材は、荷物を運搬する際に、荷物の破損・故障を防ぐために用いることができる。例えば、図８で示したように、荷物を運搬する容器と荷物との間あるいは荷物の隙間に挟んで使用する。
【０００９】
本考案の実施例１の緩衝材は、弾力性及び柔軟性に富む。外部分が透明であるので、中身がダンボール片であることが一目でわかるので安心感が有り、また、リサイクル精神を視覚的に訴える。
【図面の簡単な説明】
【００１０】
【図１】本考案の実施例１の斜視図である。
【図２】本考案の実施例１の正面図である。
【図３】本考案の実施例１の背面図である。
【図４】本考案の実施例１の左側面図である。
【図５】本考案の実施例１の右側面図である。
【図６】本考案の実施例１の平面図である。
【図７】本考案の実施例１の底面図である。
【図８】本考案の実施例１の緩衝材の使用状態を示した図である。
【符号の説明】
【００１１】
１    緩衝材
２    ダンボール片
３    ポリ袋
【図１】
0003103579.tif 000003
【図２】
0003103579.tif 000004
【図３】
0003103579.tif 000005
【図４】
0003103579.tif 000006
【図５】
0003103579.tif 000007
【図６】
0003103579.tif 000008
【図７】
0003103579.tif 000009
【図８】
0003103579.tif 000010
(57)【要約】【課題】  長さの違うゴルフ用ティーペグを手探りで容易に識別する。【解決手段】  ゴルフ用ティーペグ軸部分の断面形状を、ショートティー１、ミドルティー２、及びロングティー３でそれぞれの長さにより変えた。【選択図】  図１
0003103854.tif 000002
【実用新案登録請求の範囲】
【請求項１】
識別用に、長さと断面の形状を関係付けたゴルフ用ティーペグ。
【考案の詳細な説明】
【考案の開示】
【考案が解決しようとする課題】
【０００１】従来、ゴルフ用ティーペグは長さの違いだけで組合せてあった。このため、ポケットの中で使いたい長さのものを手探りで選ぶとき、長さだけで探さなければならず、わかりづらいという問題点を有していた。
【課題を解決するための手段】
【０００２】上記目的を達成するために、ティーペグ軸部の断面形状をそれぞれの長さごとに違う形状とし、長さと形状を関係付けた。
【考案の効果】
【０００３】このようにすれば、手探りで選ぶとき、長さと形状で探すことができる。また、せまいポケットの中に入れていても、軸を指先でつまめば形状で長さがわかり便利である。
【考案を実施するための最良の形態】
【０００４】本考案は、長さと断面の形を関係付けたゴルフ用ティーペグで、それを図面について説明すれば、各種ティーペグの軸部断面形状を、ショートティー１は正三角形に、ミドルティー２は正六角形に、ロングティー３は円形とし、それぞれの軸部断面形状を特徴づけたものである。なお、これらの断面形状は一例で、形状はどの様なものでも良いが、指先で触って判り易い形状で類別する事が肝要である。
【図面の簡単な説明】
【０００５】
【図１】ゴルフ用ティーペグの平面図である。
【図２】ゴルフ用ティーペグ軸部分の断面図である。
【符号の説明】
【０００６】１  ショートティー
２  ミドルティー
３  ロングティー
【図１】
0003103854.tif 000003
【図２】
0003103854.tif 000004